(57)【特許請求の範囲】
【請求項１】
間隔を隔てて配置される複数の手回しオルゴールの本体と、複数の手回しオルゴールの本体で演奏される一枚のパンチシートで構成され、
前記パンチシートは、前記オルゴール本体の数に対応した複数の楽譜区画を有し、
前記楽譜区画には、前記パンチシートを前記複数の手回し式オルゴール本体で演奏したときに、複数のオルゴール本体で奏でられる音が協調して一つの楽曲として聞こえるように楽譜が記録された
パンチシート式手回しオルゴール装置。
【請求項２】
複数の手回しオルゴール本体は基台に固定された、請求項１に記載のパンチシート式手回しオルゴール装置。
【請求項３】
パンチシートは、ループ状の帯体とした、請求項１又は２に記載のパンチシート式手回しオルゴール装置。
【請求項４】
帯体であるパンチシートにおいて、その長手方向に複数の楽譜区画を有し、前記楽譜区画には、このパンチシートを楽譜区画の数に対応する数の手回し式オルゴール本体で演奏したときに、複数のオルゴール本体で奏でられる音が協調して一つの楽曲として聞こえるように楽譜が記録された、手回しオルゴール用のパンチシート。
【発明の詳細な説明】
【技術分野】
【０００１】
この発明は、演奏のバリエーションを増やすことができ、加えて複数の人で楽しむことができる手回しオルゴール装置及び手回しオルゴール用のパンチシートに関するものである。
【背景技術】
【０００２】
手回しオルゴールには、回転するドラムに設けられた爪が振動板（くし歯）をはじくもの（一般にオルゴールと呼ばれるものはこれである。）、回転するディスクに設けられた突起に対応してスターホイールが回転してスターホイールの爪が振動板をはじくディスク式オルゴール、帯体に設けられた孔に対応してスターホイールが回転してスターホイールの爪が振動板をはじくシート式（カード式）オルゴールの３タイプがある。本願発明は、シート式オルゴールに関するものである。
【０００３】
幅広い音域の演奏を可能とするオルゴールとしては、特開平１０−１４９１５６号の発明がある。この発明は、一つのディスク又は回転ドラムに対応して、くし歯を備えた音階板を複数設置し、複数の音階板から音を発生させることで多重演奏を可能にするものである。ディスクを使用する場合はディスク式オルゴールであり、ドラムを使用する場合は一般のオルゴールであって、シート式オルゴールに関するものではない。
【先行技術文献】
【特許文献】
【０００４】
【特許文献１】特開平１０−１４９１５６号公報
【発明の概要】
【発明が解決しようとする課題】
【０００５】
オルゴールは、音楽の生演奏であり、手回し式のオルゴールを奏でることは「演奏行為」である。楽器は、一人で演奏しても楽しいが、複数人で演奏すると独奏とは違う楽しさを味わうことができる。オルゴールも同様であると思われるが、複数人で演奏できるオルゴールは存在していない。
上記特許発明のオルゴールは、多重演奏は可能であるが、一つのディスク又は回転ドラムを回転させて演奏するものであるから、複数人で操作をすることはできない。振動板は二つあるが、ディスク又はドラムを回転させるのは一人である。
この発明は、演奏のバリエーションを増やすことができるだけでなく、複数の人で演奏することのできる手回しオルゴール装置を得ることを課題とするものである。
【課題を解決するための手段】
【０００６】
この発明のパンチシート式手回しオルゴール装置は、間隔を隔てて配置される複数の手回しオルゴールの本体と、複数の手回しオルゴールの本体で演奏される一枚のパンチシートで構成し、前記パンチシートは、前記オルゴール本体の数に対応した数の楽譜区画を有し、前記楽譜区画には、他の楽譜区画と協調して一つの楽曲を演奏できるように楽譜を記録して構成する。
【０００７】
複数の手回しオルゴール本体は、２台以上であれば数に制限はなく、等間隔で基台に固定することが好ましい。
前記パンチシートは、端部が開放された帯体でもよいが、ループ状の帯体とすれば、連続した演奏が可能である。
他の楽譜区画と協調して一つの楽曲を演奏できるとは、複数のオルゴール本体で奏でられる音が、違和感なく一つの楽曲として聞こえることをいう。例えば一つの楽譜区画にはメロディーラインの楽譜を記録し、他の楽譜区画にはベースライン（伴奏）の楽譜を記録することが考えられる。通常は、全ての楽譜区画におけるコード進行は同じになる。
【０００８】
請求項４の発明は、この発明のオルゴール装置に使用するパンチシートであり、 帯体であるパンチシートにおいて、その長手方向に複数の楽譜区画を有し、前記楽譜区画には、このパンチシートを楽譜区画の数に対応する数の手回し式オルゴール本体で演奏したときに、複数のオルゴール本体で奏でられる音が協調して一つの楽曲として聞こえるように楽譜を記録して構成する。
【発明の効果】
【０００９】
この発明によれば、複数のオルゴール本体で、複数の楽譜区画に記録された楽譜を同時に演奏できるので、多重演奏が可能となり、演奏のバリエーションを増やすことができる。
このことに加えて、オルゴール本体は手回し式であり、複数の者が同時にオルゴール本体を回転させることによって、一つの楽曲を演奏することができる。すなわち、従来一人でしか演奏することのできなかったオルゴールを、複数人で合奏することができ、楽器の演奏ができない人でも、バンド演奏のような楽しさを味わうことができる。
【発明を実施するための形態】
【００１０】
以下、この発明の実施例を説明する。
【図面の簡単な説明】
【００１１】
【図１】この発明の実施例の斜視図
【図２】パンチシートの平面図
【図３】この発明の別の実施例の斜視図
【図４】この発明の応用例の概略図
【実施例】
【００１２】
２台の手回しオルゴール本体１ａ、１ｂが所定の間隔を隔てて、基台２に固定してある。図中符号３はハンドル、４は楽譜が孔５で記録されたパンチシートである。
前記オルゴール本体１ａ、１ｂは、パンチシート式の手回しオルゴールの通常の構成であり、ハンドル３を回すと、ハンドル３に連動したローラー（図示しない）がパンチシート４を送るようにしてある。そして、振動板（くし歯）６の下に固定された円盤（スターホイール。図示しない。）に爪が円周上に四つ設けてあり、爪がパンチシートの孔に引っかかると円盤が１／４回転し、爪が振動板を弾いて音が出るようになっている。
【００１３】
前記パンチシート４は、オルゴール本体が２台であるから二つの楽譜区画７ａ、７ｂを備えている。二つの楽譜区画には、互いに協調して一つの楽曲を演奏できるように楽譜が孔５として記録してある。通常、一方の楽譜区画にメロディーラインの楽譜を記録し、他方の楽譜区画にベースラインの楽譜を記録するが、同じ音が連続する場合など音が濁るおそれがある場合は、一部の音を他方の楽譜区画に記録することで、音の濁りを解消することができる。二つの楽譜区画の境界及び必要によりスタート位置に、目印として区画線８が表してある。
この区画線は、操作時にパンチシート４の上側となる面（両端が開放された帯体の場合は表面に、ループ状の帯体である場合は裏面）に設けることが好ましい。
【００１４】
前記パンチシート４は、図２に示す両端が開放された帯体、両端を繋げたループ状の帯体のいずれでもよい。図１では、パンチシート４をループ状の帯体として、オルゴール本体１ａ、１ｂのパンチシート送り出しローラー間に掛け渡してあり、図３では両端が開放されたパンチシート４を、オルゴール本体１ａ、１ｂのパンチシート送り出しローラーを通過させてある。
【００１５】
パンチシート４をループ状にする場合は、撓みやすい素材とすることが必要である。そして、パンチシートが撓む場合、二つのオルゴール本体間の距離は、楽譜区画の長さよりも短くとも、演奏することができる。このときの位置確認のために前記区画線８が利用される。ループ状とする場合は区画線は２カ所に表示する。
【００１６】
上記実施例では、二つのオルゴール本体１ａ、１ｂを基盤２に固定したが、必ずしも固定しなくとも演奏することができる。固定しない場合、オルゴール本体の底面にゴム板を張ったり滑りにくい塗装を施すと、演奏中の移動が防止されて好ましい。
また、オルゴール本体の数及び楽譜区画の数を増やせば、一層複雑な演奏が可能となる。その場合、高音部を演奏可能なオルゴール本体、中音部を演奏可能なオルゴール本体、低音部を演奏可能なオルゴール本体を組み合わせることで、音域も拡大することができる。
【００１７】
この発明のオルゴール装置は、複数のオルゴール本体と、複数の楽譜区画を持つパンチシートとを組み合わせたので、多重演奏が可能となり、演奏のバリエーションを増やすことができる。また、音源となるオルガン本体が横に並べられているので、ステレオ効果も得ることができる。
【００１８】
このことに加えて、複数の手回し式のオルゴール本体を備えているので、複数の者が同時にオルゴール本体のハンドルを回転させることによって、一つの楽曲を演奏することができる。しかも、複数の者が同じスピードでパンチシートを移動させなければ正しい演奏ができない。
すなわち、ペースを合わせるという点ではピアノやギター、ベースという楽器による合奏と同様であり、楽器の演奏ができない人でも、バンド演奏のような楽しさ（複数人で演奏を作り上げる）を味わうことができる。その結果、従来は個人的な楽しみの道具であったオルゴールを、カップルや仲間で楽しむ道具として使用することができる。
【００１９】
さらに、次のような構成を追加すると、仲間で楽しむ道具としての使用価値が向上する。
【００２０】
図４において、この発明のオルゴール装置が、上方が開口した箱１１内に設置してあり、ハンドル３は箱１１の外に露出している。
二つのオルゴール本体１ａ、１ｂは箱１１に固定してあり、ループ状の帯体であるパンチシート４は光を通さないシートである。そして、パンチシート４の上下の間に光源１３が配置してある。光源１３はスマートフォンでもよい。
なお、パンチシート４をループ状でない帯体としたときは、パンチシート４の下方に光源を配置する。
【００２１】
上記において光源１３を点灯させると、光はパンチシート４の孔５を透過するので、上からのぞき込んだり、室内を暗くして天井に映し出すと、曲の進行と共に孔５を透過した光が変化するので、この変化を楽しむことができる。
【産業上の利用可能性】
【００２２】
この発明は、パンチシート式手回しオルゴールの活用範囲を拡大するものであって、産業上の利用可能性を有するものである。
【符号の説明】
【００２３】
１ａ、１ｂ  オルゴール本体
２    基台
３    ハンドル
４    パンチシート
５    孔
６    振動板
７ａ、７ｂ   楽譜区画
８    区画線
１１  箱
１３  光源
【要約】      （修正有）【課題】演奏のバリエーションを増やすことができるだけでなく、複数の人で演奏することのできる手回しオルゴール装置を提供する。【解決手段】パンチシート式手回しオルゴール装置は、間隔を隔てて配置される複数の手回しオルゴールの本体１ａ、１ｂと、複数の手回しオルゴールの本体で演奏される一枚のパンチシート４とを基台２に固定して構成する。パンチシート４は、オルゴール本体の数に対応した数の楽譜区画を有する。楽譜区画には、他の楽譜区画と協調して一つの楽曲を演奏できるように楽譜を記録する。【選択図】図１【図１】
0006830684.tif 000002
【図２】
0006830684.tif 000003
【図３】
0006830684.tif 000004
【図４】
0006830684.tif 000005